(57)【要約】【課題】本願は、注文した飲食物の到着を知らせる表示灯の視覚的訴求力を発揮可能でありながら、様々な店内のレイアウトに容易に対応可能な注文飲食物搬送装置を提供することを課題とする。【解決手段】本願で開示する注文飲食物搬送装置は、注文された飲食物を搬送する搬送路と、搬送路沿いに延在する透光性の窓を有し、搬送路の脇を覆うカバーと、カバーの内側の、搬送路沿いに配置される客席に対応する部位に設けられる発光体と、を備える。【選択図】図５
2019042278.tif 000002
【特許請求の範囲】
【請求項１】
注文された飲食物を搬送する搬送路と、
前記搬送路沿いに延在する透光性の窓を有し、前記搬送路の脇を覆うカバーと、
前記カバーの内側の、前記搬送路沿いに配置される客席に対応する部位に設けられる発光体と、を備える、
注文飲食物搬送装置。
【請求項２】
前記発光体は、前記カバーの内側において前記搬送路沿いに延在する被可着部材のうち、前記搬送路沿いに配置される客席に対応する部位にマグネットの磁力で取り付けられている、
請求項１に記載の注文飲食物搬送装置。
【請求項３】
前記カバーは、前記被可着部材に取り付けられた前記発光体を前記被可着部材の反対側から保持する保持部を有する、
請求項２に記載の注文飲食物搬送装置。
【請求項４】
前記発光体は、棒状体である、
請求項１から３の何れか一項に記載の注文飲食物搬送装置。
【発明の詳細な説明】
【技術分野】
【０００１】
本発明は、注文飲食物搬送装置に関する。
【背景技術】
【０００２】
近年、飲食店においては、搬送装置を使った飲食物の提供が行なわれている（例えば、特許文献１−２を参照）。
【先行技術文献】
【特許文献】
【０００３】
【特許文献１】特開２００５−１８５３２６号公報
【特許文献２】特開２０１３−６６６０３号公報
【発明の概要】
【発明が解決しようとする課題】
【０００４】
注文を受けて用意された飲食物を搬送する注文飲食物搬送装置は、客が注文した飲食物をベルトコンベア或いは台車で指定されたテーブルへ搬送する。よって、注文飲食物搬送装置は、指定されたテーブルに到着した飲食物が速やかに取られないと、他の飲食物を搬送することができないため、次々に注文が来る場合に対応が難しくなる。したがって、飲食物が指定のテーブルへ到着した際は、飲食物を客が速やかに取ることが望まれる。
【０００５】
しかし、飲食店で食事をする客は、家族や友人との会話に気を取られて飲食物の到着に気が付かない場合がある。そこで、飲食物の到着を知らせる表示灯を注文飲食物搬送装置に設け、飲食物が到着すると表示灯を点滅させることが考えられる。しかしながら、客席のレイアウトは店舗によって異なるため、飲食物の到着を知らせる表示灯を注文飲食物搬送装置に画一的に設けることはできない。そこで、飲食物の到着を知らせる表示灯をテーブル付近に設けるべく、表示灯を注文飲食物搬送装置に取り付けるための機械加工を店舗のレイアウトに応じた箇所に施すことが考えられる。しかし、そのような機械加工は注文飲食物搬送装置の製作費や据付作業の工数を増大させたり、適用できる表示灯を視覚的訴求力の弱い小型のものに制限させたりする可能性がある。
【０００６】
そこで、本願は、注文した飲食物の到着を知らせる表示灯の視覚的訴求力を発揮可能でありながら、様々な店内のレイアウトに容易に対応可能な注文飲食物搬送装置を提供することを課題とする。
【課題を解決するための手段】
【０００７】
上記課題を解決するため、本発明では、搬送路の脇を覆うカバーに、搬送路沿いに延在する透光性の窓を設け、発光体をカバーの内側の客席に対応する部位に設けることにした。
【０００８】
詳細には、本発明は、注文飲食物搬送装置であって、注文された飲食物を搬送する搬送路と、搬送路沿いに延在する透光性の窓を有し、搬送路の脇を覆うカバーと、カバーの内側の、搬送路沿いに配置される客席に対応する部位に設けられる発光体と、を備える。
【０００９】
上記の注文飲食物搬送装置では、搬送路の脇を覆うカバーに、搬送路沿いに延在する透光性の窓が設けられているため、カバーの内側に設けられる発光体が搬送路沿いの何れの部位にあっても、発光体から放たれる光が窓を透過する。そして、発光体から放たれる光が透過する窓は、搬送路の脇を覆うカバーに、搬送路沿いに延在するように設けられてい
る。すなわち、当該窓は、搬送路沿いに配置される客席の位置に関わり無く、注文飲食物搬送装置のカバーに一様に設けられる。よって、上記の注文飲食物搬送装置を店舗へ設置する際には、現場でカバーに穴あけ加工を施さなくても、客席の位置に応じた適宜の箇所に発光体を取り付け可能である。また、現場におけるカバーへの穴あけ作業が不要なので、現場作業時の穴あけ作業の容易性といった配慮が不要であり、適宜な長さを有する発光体を用いることが可能である。したがって、上記の注文飲食物搬送装置でであれば、様々な店内のレイアウトに容易に対応可能でありながら、視覚的訴求力を十分に発揮することが可能である。
【００１０】
なお、発光体は、カバーの内側において搬送路沿いに延在する被可着部材のうち、搬送路沿いに配置される客席に対応する部位にマグネットの磁力で取り付けられていてもよい。マグネットの磁力で取り付けられる発光体であれば、取付が容易である。この場合、カバーは、被可着部材に取り付けられた発光体を被可着部材の反対側から保持する保持部を有していてもよい。このような保持部があれば、被可着部材に取り付けられた発光体の保持力が増す。
【００１１】
また、発光体は、棒状体であってもよい。発光体が棒状体であれば、搬送路沿いに延在する透光性の窓のうち、当該棒状体の長さに相当する部位が発光することになるため、視覚的訴求力が十分に発揮される。
【発明の効果】
【００１２】
上記注文飲食物搬送装置であれば、注文した飲食物の到着を知らせる表示灯の視覚的訴求力を発揮可能でありながら、様々な店内のレイアウトに容易に対応可能である。
【図面の簡単な説明】
【００１３】
【図１】図１は、実施形態に係る注文飲食物搬送装置の全体構成図である。
【図２】図２は、注文飲食物搬送装置の内部構造を示した図である。
【図３】図３は、注文飲食物搬送装置の内部構造の一部を斜めから示した図である。
【図４】図４は、ＬＥＤ照明の取付方法を示した第１の図である。
【図５】図５は、ＬＥＤ照明の取付方法を示した第２の図である。
【図６】図６は、ＬＥＤ照明の点灯状態を示した図である。
【発明を実施するための形態】
【００１４】
以下、本願発明の実施形態について説明する。以下に示す実施形態は、本願発明の一態様であり、本願発明の技術的範囲を限定するものではない。下記に示す各実施形態や変形例は、例えば、寿司や飲料物、うどん等の丼物、から揚げや天ぷら、ラーメン、焼肉といった各種の飲食物を提供する飲食店に好適である。
【００１５】
図１は、実施形態に係る注文飲食物搬送装置１の全体構成図である。注文飲食物搬送装置１は、客の注文を受けて用意された飲食物を飲食店の厨房２から特定のテーブル３へ搬送する装置であり、図１に示すように、客が飲食する各テーブル３の脇を通る搬送路１Ｈを形成する。注文飲食物搬送装置１は、飲食店の厨房２側からテーブル３へ至る搬送路１Ｈを形成する主ベルトコンベア４Ｌ，４Ｒと、主ベルトコンベア４Ｌ，４Ｒの厨房２側に延設され、搬送路１Ｈを延伸する副ベルトコンベア５Ｌ，５Ｒと、を備えている。なお、本実施形態では、主ベルトコンベア４Ｌ，４Ｒが直線状に形成されているが、主ベルトコンベア４Ｌ，４Ｒを複数組み合わせることにより、主ベルトコンベア４Ｌ，４Ｒがコーナー部分を有する搬送路を形成するようにしてもよい。
【００１６】
主ベルトコンベア４Ｌと主ベルトコンベア４Ｒには、互いに独立して回転制御可能な駆動モータが各々設けられている。副ベルトコンベア５Ｌと副ベルトコンベア５Ｒにも、互
いに独立して回転制御可能な駆動モータが各々設けられている。そして、各駆動モータは、図示しない制御装置に繋がっており、操作パネルに入力された操作内容や各センサからの信号に基づいて制御される。
【００１７】
図２は、注文飲食物搬送装置１の内部構造を示した図である。注文飲食物搬送装置１は、主ベルトコンベア４Ｌ，４Ｒを支持する上部パネル６と、主ベルトコンベア４Ｌ，４Ｒが形成する搬送路１Ｈの脇を覆うカバー７と、カバー７の内側に設けられるＬＥＤ（light emitting diode）照明８（本願でいう「発光体」の一例である）とを備える。カバー７には、透光性の窓１０が設けられている。また、カバー７の内側には、窓１０よりも上側の部位と下側の部位とを締結する保持部１１が設けられている。保持部１１は、窓１０よりも上側の部位と下側の部位とを締結することでカバー７を補強する。ＬＥＤ照明８は、ＬＥＤ照明８に設けられているマグネットの磁力で支持部材９（本願でいう「被可着部材」の一例である）に取り付けられており、カバー７で覆われると保持部１１に支持部材９の反対側から保持される。なお、図２において左側に示されるカバー７と右側に示されるカバー７とを見比べると判るように、カバー７は上下に動かして着脱できる。
【００１８】
上部パネル６が水平な搬送面を形成する板状体であるのに対し、カバー７は、主ベルトコンベア４Ｌ，４Ｒが形成する搬送路１Ｈの脇を覆う部材である。よって、カバー７は、搬送路１Ｈの下側が客から見えないよう、角の部分が面取りされた断面視略Ｌ字状の形態を成している。そして、カバー７は、略４５度の傾斜角を成す面取り部分に窓１０を有している。よって、窓１０は、略４５度の傾斜角で斜め上方に向かって開いている。そして、カバー７の内側に設けられるＬＥＤ照明８も窓１０と同様、発光面が略４５度の傾斜角で斜め上方に向かう姿勢で支持部材９に取り付けられている。テーブル３において発光するＬＥＤ照明８の光は、略４５度の傾斜角で斜め上方に向かって開いている窓１０を通じて放たれることになるため、厨房３から目視することが可能である。したがって、厨房３に居る作業者は、搬送された飲食物の到着位置を視認することができる。
【００１９】
図３は、注文飲食物搬送装置１の内部構造の一部を斜めから示した図である。図３では、注文飲食物搬送装置１の端部が図示されているように見えるが、図３に示される注文飲食物搬送装置１の右端は端部でなく断面を示している。
【００２０】
窓１０は、図３に示されるように、主ベルトコンベア４Ｌ，４Ｒが形成する搬送路１Ｈ沿いに延在する細長い窓である。よって、カバー７の内側に設けられるＬＥＤ照明８も、窓１０に沿うように細長い照明器具となっている。
【００２１】
図４は、ＬＥＤ照明８の取付方法を示した第１の図である。ＬＥＤ照明８の取付は、カバー７が外された状態で行われる。ＬＥＤ照明８は、適当な長さを有する棒状の照明器具である。また、ＬＥＤ照明８は、注文された飲食物が到着したことを客に知らせる目的で使用される。よって、ＬＥＤ照明８は、適当な長さを有する照明器具であり、主ベルトコンベア４Ｌ，４Ｒが形成する搬送路１Ｈの脇に沿って適宜の箇所に延在する支持部材９のうち特定の部位に取り付けられる。
【００２２】
図５は、ＬＥＤ照明８の取付方法を示した第２の図である。主ベルトコンベア４Ｌ，４Ｒが形成する搬送路１Ｈの脇には、テーブル３が適当な間隔で配置されている。よって、ＬＥＤ照明８は、主ベルトコンベア４Ｌ，４Ｒが形成する搬送路１Ｈの脇に沿って延在し、テーブル３に対応する部位に設けられた支持部材９に取り付けられる。そして、ＬＥＤ照明８の取付が行われた後は、ＬＥＤ照明８を覆うようにカバー７の取付が行われる。
【００２３】
図６は、ＬＥＤ照明８の点灯状態を示した図である。ＬＥＤ照明８は、注文飲食物搬送装置１の制御装置に接続される。そして、注文を受けて用意された飲食物Ｄが副ベルトコ
ンベア５Ｌ（５Ｒ）に載せられると、注文飲食物搬送装置１の制御装置は、副ベルトコンベア５Ｌ（５Ｒ）や主ベルトコンベア４Ｌ（４Ｒ）を作動させ、飲食物Ｄを指定されたテーブル３へ搬送する。そして、注文飲食物搬送装置１の制御装置は、飲食物Ｄが指定されたテーブル３に到着すると、飲食物Ｄが到着したテーブル３に対応する部位に設けられているＬＥＤ照明８を点滅させる。テーブル３に居る客は、ＬＥＤ照明８の点滅により、飲食物Ｄがテーブル３に到着したことを速やかに知ることができる。よって、テーブル３に居る客は、家族や友人との会話に気を取られていたとしても、飲食物Ｄの到着に容易に気が付くことができる。飲食物Ｄの到着に気が付いた客は、通常、テーブル３に到着した飲食物Ｄを速やかに取る。よって、注文飲食物搬送装置１は、ＬＥＤ照明８が省略されている場合よりも多くの飲食物Ｄを搬送できる可能性が高い。
【００２４】
そして、上記実施形態の注文飲食物搬送装置１では、ＬＥＤ照明８が支持部材９にマグネットの磁力で取り付けられている。また、窓１０が搬送路１Ｈ沿いに延在する細長い窓である。よって、注文飲食物搬送装置１を店舗へ設置する際には、現場（店舗）でカバー７に穴あけ加工を施さなくても、テーブル３の位置に応じた適宜の箇所にＬＥＤ照明８を取り付け可能である。また、現場におけるカバー７への穴あけ作業が不要なので、現場作業時の穴あけ作業の容易性といった配慮が不要であり、適宜な長さを有するＬＥＤ照明８を用いることが可能である。したがって、現場における機械加工による据付作業の工数を増大させることなく、視覚的訴求力を十分に有するＬＥＤ照明８を採用することが可能である。
【００２５】
なお、上記実施形態では、並列な２つのベルトコンベア（４Ｌ，４Ｒ）によって搬送路１Ｈが形成されるタイプの注文飲食物搬送装置を例に説明したが、注文飲食物搬送装置１は、例えば、並列な１つのベルトコンベアを有する装置、並列な３つ以上のベルトコンベアを有する装置、搬送路が上下に複数段設けられた装置、ベルト以外の機構で注文飲食物を搬送する装置の何れに変形してもよい。
【００２６】
また、上記実施形態ではＬＥＤ照明８が用いられていたが、ＬＥＤ照明８は、例えば白熱灯といったＬＥＤ以外の発光体に代えてもよい。また、ＬＥＤ照明８は、４５度の角度で斜め上向きに取り付けられていたが、真横に向いていてもよいし、その他の方向を向いていてもよい。また、ＬＥＤ照明８は、点状の発光部分が離散的に並ぶものであってもよいし、或いは、面状の発光体であってもよい。また、ＬＥＤ照明８は、マグネットの磁力で支持部材９に取り付けられていたが、粘着剤、ネジ、その他の固定手段で支持部材９に取り付けられていてもよい。
【符号の説明】
【００２７】
Ｄ・・飲食物
１・・注文飲食物搬送装置
１Ｈ・・搬送路
２・・厨房
３・・テーブル
４Ｌ，４Ｒ・・主ベルトコンベア
５Ｌ，５Ｒ・・副ベルトコンベア
６・・上部パネル
７・・カバー
８・・ＬＥＤ照明
９・・支持部材
１０・・窓
１１・・保持部
【図１】
2019042278.tif 000003
【図２】
2019042278.tif 000004
【図３】
2019042278.tif 000005
【図４】
2019042278.tif 000006
【図５】
2019042278.tif 000007
【図６】
2019042278.tif 000008